(57)【要約】【課題】調理用コップを本体に載置する際、カッター台の未装着が容易に分かる安全な電動調理器を提供する。【解決手段】電動機２を内蔵する本体１に着脱自在に載置される調理用コップ４と、本体１の一部に突出して設けられた本体突起部９と、調理用コップ４に着脱自在に取り付けられるカッター台１１と、カッター台１１に回転自在に設けられ電動機２で回転駆動されるカッター５と、調理用コップ４に設けられ、カッター台１１の調理用コップ４への取り付け動作と連動して回転又は回動する回転体１５とを備え、カッター台１１を調理用コップ４から外して調理用コップ４を本体１に載置したとき、回転体１５の一端部が本体突起部９と干渉する位置にあるもので、カッター台１１が未装着のときは、調理用コップ４が本体１に正常に載置できず、カッター台１１を装着していないことが容易に判る。【選択図】図２
2010022676.tif 000002
【特許請求の範囲】
【請求項１】
電動機を内蔵する本体と、前記本体に着脱自在に載置される調理用コップと、前記本体の前記調理用コップが載置される部分の少なくとも一部に突出して設けられた本体突起部と、前記調理用コップに着脱自在に取り付けられるカッター台と、前記カッター台に回転自在に設けられたカッターと、前記電動機から前記カッターに動力を伝えるコネクターと、前記調理用コップに設けられ、前記カッター台の前記調理用コップへの取り付け動作と連動して回転又は回動する回転体とを備え、前記カッター台を前記調理用コップから外した状態で、前記調理用コップを前記本体に載置したとき、前記回転体の一端部が前記本体突起部と干渉する位置にあることを特徴とする電動調理器。
【請求項２】
本体突起部を、本体に調理用コップを載置するときに前記調理用コップを誘導する略環状リブで形成した請求項１に記載の電動調理器。
【請求項３】
回転体を、調理用コップに上下に回動自在に設け、カッター台が未装着の前記調理用コップを本体に装着する際に、前記回転体の回動中心と、前記回転体の本体突起部と干渉する本体突起側端部と、前記本体突起部とが、前記調理用コップを前記本体に載置する方向と同方向でかつ直線上に並ぶように構成した請求項１または２に記載の電動調理器。
【請求項４】
回転体を本体と略水平方向に回転するように構成した事を特徴とした請求項１又は２に記載の電動調理器。
【請求項５】
回転体のカッター台側の端部または前記カッター台の前記回転体と接触する面の少なくとも一方に傾斜面を設けた事を特徴とした請求項４に記載の電動調理器。
【請求項６】
本体に、調理用コップが載置されたことを検知するコップ検知ピンと、前記コップ検知ピンが押し込まれたときだけ電動機に通電する通電機構を設け、カッター台を装着した前記調理用コップを前記本体に載置したときに、前記コップ検知ピンを押し込む検知ピン用端部を回転体に設けた請求項１〜５のいずれか１項に記載の電動調理器。
【発明の詳細な説明】
【技術分野】
【０００１】
本発明は、容器に野菜、果実などを入れてカッターにより切削撹拌してジュースなどの調理物を作る電動調理器に関するものである。
【背景技術】
【０００２】
従来のカッターを着脱可能とした電動調理器について、図６を用いて説明する。図６は、従来の電動調理器の断面図である。
【０００３】
図６において、従来の電動調理器の本体１は、本体側コネクター７と連結された電動機２と通電機構３を内蔵している。通電機構３には、コップ検知ピン１０が設けられている。調理用コップ４は、コップ側コネクター８と直結しているカッター５を備え、コップ挿入面２３をガイドとして本体１に着脱自在に載置される。
【０００４】
カッター５とコップ側コネクター８は、カッター台１１に回転自在に取り付けられており、そのカッター台１１は、防水シール材１２と共に、調理用コップ４に着脱自在にとりつけられている。また、調理用コップ４にはコップ検知ピン１０に対応する底面凸部６が設けられている。
【０００５】
本体１に調理用コップ４が載置されると、底面凸部６がコップ検知ピン１０を押し下げ通電機構３が電気的に連結可能な状態になる。そして通電機構３に接続されたスイッチ（図示せず）をＯＮにすることにより、電動機２に通電され、本体側コネクター７を介して調理用コップ４のコップ側コネクター８により調理用コップ４内部のカッター５が回転する。調理終了後に調理用コップ４を洗浄する場合、カッター台１１を取り外すことで容易に洗浄する事ができるようになっている（例えば、特許文献１参照）。
【特許文献１】特開２００４−２５４７９８号公報
【発明の開示】
【発明が解決しようとする課題】
【０００６】
しかしながら、前記従来の電動調理器の構成では、カッター台１１を調理用コップ４から取り外した状態においても、調理用コップ４を本体１に載置することができるので、この状態のまま誤って水や調理物を調理用コップ４の内部に注いだ場合、水や調理物は、調理用コップ４を通過して本体側コネクター７の上に注がれると共に、調理用コップ４のコップ挿入面２３が、水や調理物を堰き止めて本体１と調理用コップ４の間に溜まって溢れ、本体側コネクター７と電動機２の間から本体１の内部にさらに侵入するという課題があった。
【０００７】
本発明は、前記従来の課題を解決するもので、調理用コップからカッター台を取り外した状態で本体に載置しようとしても調理用コップが正常に載置できないようにして、容易にカッター台が装着されていないことが分かると共に、誤って水や調理物を調理用コップの内部に注いだ場合でも水や調理物が本体の内部に入り難い、安全な電動調理器を提供することを目的とする。
【課題を解決するための手段】
【０００８】
前記従来の課題を解決するため、本発明の電動調理器は、電動機を内蔵する本体と、前記本体に着脱自在に載置される調理用コップと、前記本体の前記調理用コップが載置される部分の少なくとも一部に突出して設けられた本体突起部と、前記調理用コップに着脱自在に取り付けられるカッター台と、前記カッター台に回転自在に設けられたカッターと、
前記電動機から前記カッターに動力を伝えるコネクターと、前記調理用コップに設けられ、前記カッター台の前記調理用コップへの取り付け動作と連動して回転又は回動する回転体とを備え、前記カッター台を前記調理用コップから外した状態で、前記調理用コップを前記本体に載置したとき、前記回転体の一端部が前記本体突起部と干渉する位置にあるもので、前記調理用コップを前記本体に載置するときに前記回転体が前記本体突起部に干渉して正常に載置できないので、前記調理用コップに前記カッター台を装着していないことが容易に判る。また、回転体と本体突起部が無理に干渉した状態で放置された状態で、誤って水や調理物を前記調理用コップ内に注いだ場合でも、前記調理用コップは前記本体突起部により前記本体に水平に載置されていないので、水や調理物は、前記調理用コップと前記本体の隙間から外部に流れて、前記本体の内部に入り難くすることができる。
【発明の効果】
【０００９】
本発明の電動調理器は、カッター台を外した状態で調理用コップを本体に載置しようとしても回転体が本体突起部と干渉して載置できないので、カッター台が調理用コップに装着されていないことが容易に判ると共に、誤って水や調理物を調理用コップの内部に注いでも、調理用コップが傾斜した状態であるので、本体と調理用コップの隙間から外に容易に流出し、本体内に侵入することが無く、より安全な電動調理器とすることができる。
【発明を実施するための最良の形態】
【００１０】
第１の発明は、電動機を内蔵する本体と、前記本体に着脱自在に載置される調理用コップと、前記本体の前記調理用コップが載置される部分の少なくとも一部に突出して設けられた本体突起部と、前記調理用コップに着脱自在に取り付けられるカッター台と、前記カッター台に回転自在に設けられたカッターと、前記電動機から前記カッターに動力を伝えるコネクターと、前記調理用コップに設けられ、前記カッター台の前記調理用コップへの取り付け動作と連動して回転又は回動する回転体とを備え、前記カッター台を前記調理用コップから外した状態で、前記調理用コップを前記本体に載置したとき、前記回転体の一端部が前記本体突起部と干渉する位置にあるもので、前記調理用コップを前記本体に載置するときに前記回転体が前記本体突起部に干渉して正常に載置できないので、前記調理用コップに前記カッター台を装着していないことが容易に判る。また、回転体と本体突起部が無理に干渉した状態で放置された状態で、誤って水や調理物を前記調理用コップ内に注いだ場合でも、前記調理用コップは前記本体突起部により前記本体に水平に載置されていないので、水や調理物は、前記調理用コップと前記本体の隙間から外部に流れて、前記本体の内部に入り難くすることができる。
【００１１】
第２の発明は、特に、第１の発明の本体突起部を、本体に調理用コップを載置するときに前記調理用コップを誘導する略環状リブで形成したもので、前記調理用コップの載置位置を決めることができるので、回転体と本体突起部を確実に干渉させることができる。
【００１２】
第３の発明は、特に、第１又は第２の発明の回転体を、調理用コップに上下に回動自在に設け、カッター台が未装着の前記調理用コップを本体に装着する際に、前記回転体の回動中心と、前記回転体の本体突起部と干渉する本体突起側端部と、前記本体突起部とが、前記調理用コップを前記本体に載置する方向と同方向でかつ直線上に並ぶように構成したもので、前記回転体が前記本体突起部に干渉した場合に前記本体突起部から前記回転体に加わる力は、前記回転体を回転させることができないので、前記回転体で前記調理コップの載置を確実に阻害することができる。
【００１３】
第４の発明は、特に、第１又は第２の発明の回転体を本体と略水平方向に回転するように構成したもので、前記回転体が本体突起部に干渉した場合に、前記本体突起部から前記回転体に加わる力は、前記回転体を回転させる方向と異なるので、前記回転体で前記調理コップの載置を確実に阻害することができる。
【００１４】
第５の発明は、特に、第４の発明の回転体のカッター台側の端部または前記カッター台の前記回転体と接触する面の少なくとも一方に傾斜面を設けたもので、カッター台を調理用コップに取り付ける際に、回転体の水平方向の動作をスムーズに行うことができる。
【００１５】
第６の発明は、特に、第１〜５のいずれか１つの発明の本体に、調理用コップが載置されたことを検知するコップ検知ピンと、前記コップ検知ピンが押し込まれたときだけ電動機に通電する通電機構を設け、カッター台を装着した前記調理用コップを前記本体に載置したときに、前記コップ検知ピンを押し込む検知ピン用端部を回転体に設けたもので、前記調理用コップに前記カッター台が装着されていない時には前記電動機が通電されないので、より安全な電動調理器を提供することができる。
【００１６】
以下、本発明の実施の形態について、図面を参照しながら説明する。なお、この実施の形態によって本発明が限定されるものではない。
【００１７】
（実施の形態１）
図１は、本発明の第１の実施の形態における電動調理器の部分断面図（カッター台が装着された調理用コップが本体に載置された状態）、図２は、同電動調理器の断面図（カッター台を調理用コップから外した状態）である。なお、本実施の形態における電動調理器の基本的な構成は、図６で示した従来の電動調理器と実質的に同じなので、同一部品については同一符号を用いてその説明を省略する。
【００１８】
図１、２において、本実施の形態における電動調理器の本体１の上面で、調理用コップ４が載置される部分には、本体突起部９が上方に突出して形成されている。カッター台１１の底部外周には、調理用コップ４に嵌合させるためのカッター台凸部１４が設けられ、防水シール材１２を乗せたカッター台１１を、調理用コップ４の底面から垂直に押し込んで、回転させることにより、防水シール材１２を挟んで、カッター台凸部１４が、調理用コップ４側に設けたコップ凹部１３に、バイオネット機構により嵌合するように構成されている。
【００１９】
調理用コップ４の底面には、一端にカッター台側端部１５ｂを、他端に本体突起側端部１５ｃを有すると共に、回転体軸部１５ａを回転中心に回転自在の回転体１５が設けられており、その回転範囲は、図２に示すような略水平状態から、本体突起側端部１５ｃが調理コップ内側壁面２１に当接するまでの約９０度の回転に制約され、さらに、バネ１６により、回転体１５が略水平方向になるように、すなわちカッター台側端部１５ｂがカッター台１１側に向かって突出するように回転付勢されている。
【００２０】
又、回転体１５の取り付け位置は、回転体１５が水平位置まで回転した状態で、調理用コップ４を本体１に載置しようとしたときに、回転体１５の本体突起側端部１５ｃが本体突起部９と干渉する位置にあるように設定している。
【００２１】
次に、回転体１５の動作について説明する。
【００２２】
まず、調理用コップ４にカッター台１１を取り付けるために、調理用コップ４の底部からカッター台１１を押し込むと、図１に示すように、カッター台１１の一部が、バネ１６の付勢力に抗して回転体１５のカッター台側端部１５ｂを押し上げ、反対側の本体突起側端部１５ｃが下向きとなり、この状態で調理用コップ４にカッター台１１を固定した後、調理用コップ４を本体１に載置する。この状態では、回転体１５の本体突起側端部１５ｃが下向きとなって、本体１に設けた本体突起部９と干渉しないので、調理用コップ４は、本体１に正規に載置できる。
【００２３】
次に、調理用コップ４からカッター台１１を外した場合について述べる。
【００２４】
調理用コップ４からカッター台１１を外すと、回転体１５は、バネ１６により回転付勢されて、回転体軸部１５ａを中心に、カッター台側端部１５ｂが内方に突出する位置まで回転動作し、調理コップ内側壁面２１で停止する。この状態で、調理用コップ４を本体１に載置しようとすると、回転体１５の本体突起側端部１５ｃが、本体突起部９の位置にありそれと干渉するため、調理用コップ４を本体１に正常に載置することができず、使用者は、調理用コップ４にカッター台１１が未装着であることを容易に知ることができる。
【００２５】
また、カッター台１１を調理用コップ４に未装着のままで、本体１に調理用コップ４を放置した状態で、誤って水や調理物を、調理用コップ４内に注いだ場合でも、本体突起部９に回転体１５が干渉しているため、本体１上に調理用コップ４は水平に載っておらず、本体１と調理用コップ４との隙間から、水や調理物が容易に排出され、本体１の内部に侵入するもことない。
【００２６】
以上のように、本実施の形態によれば、調理用コップ４からカッター台１１を取り外した状態で、調理用コップ４を本体１に載置しようとしても、調理用コップ４が正常に載置できないので、容易にカッター台１１が装着されていないことが分かると共に、カッター台１１が取り外された調理用コップ４内に、誤って水や調理物を注いだ場合でも水や調理物が本体１の内部に入り難い、安全な電動調理器を提供することができる。
【００２７】
（実施の形態２）
図３は、本発明の第２の実施の形態における電動調理器の部分断面図で、図３（ａ）は、カッター台が装着された調理用コップが本体に載置された状態の断面図、図３（ｂ）は、カッター台を調理用コップから外した状態の断面図である。なお、上記第１の実施の形態における電動調理器と同一部品については、同一符号を用いてその説明を省略する。
【００２８】
本実施の形態における電動調理器の回転体２２は、調理用コップ４に、回転体軸部２２ａを回転中心に上下に回動自在に設けられているが、第１の実施の形態と異なり、回転体２２の容器カッター台側端部２２ｂと本体突起側端部２２ｃは、回転体軸部２２ａの片側で同一方向に回転し、カッター台１１が未装着の時は、本体突起側端部２２ｃは、バネ１６に付勢されて、回転体軸部２２ａの鉛直下方向に向くように構成されている。
【００２９】
回転体２２の本体突起側端部２２ｃに対応するように本体１に設けられた本体突起部１７は、調理用コップ４の調理コップ底側壁面２３のガイドの役割をするように略環状リブで構成されている。また回転体軸部２２ａは、調理コップ底側壁面２３に設けられており、着脱自在のカッター台１１は、コップ側コネクター８側の面を大きく取ることができ、カッター台持ち手２５を有しており、調理コップ底側壁面２３と共に凹形状を形成して、凸部である本体突起部１７を導くように構成されている。
【００３０】
図３（ａ）において、カッター台１１の持ち手２５を掴んで、調理用コップ４にカッター台１１が挿入されると、回転体２２のカッター台側端部２２ｂがカッター台１１により上方に押され、回転体軸部２２ａを中心として本体突起側端部２２ｃと共に上向きに回転し、本体突起部１７と干渉する位置から外れる位置まで回転する。
【００３１】
図３（ｂ）において、カッター台持ち手２５を掴み、調理用コップ４からカッター台１１を外すと、回転体２２は、バネ１６の付勢力により回転体軸部２２ａを中心として下向きに回転する。そして調理用コップ４を本体１に載置しようとすると、回転体２２の本体突起側端部２２ｃと本体突起部１７が干渉して載置できない。またこの時、本体突起部１
７と本体突起側端部２２ｃと回転体軸部２２ａは垂直方向に一直線に並ぶため、本体側突起部２２ｃが、本体側突起部１７で押されても回転することができない。
【００３２】
以上のように、本実施の形態によれば、回転体２２の本体突起用端部２２ｃと回転軸２２ａと、本体突起部１７を一直線に構成してあるので、調理用コップ４にカッター台１１が装着されていない時には、容易にカッター台１１の未装着が判るのみならず、調理用コップ４を本体１に強く押し込んでも  回転体２２は回転動作ができないので、より安全性の高い電動調理器を提供することができる。
【００３３】
（実施の形態３）
図４（ａ）は、本発明の第３の実施の形態における電動調理器のカッター台を調理用コップから外した状態の部分断面図、図４（ｂ）は、同調理用コップの回転体部分の部分側面図及び部分平面図である。なお、上記第１、第２の実施の形態における電動調理器と同一部品については、同一符号を用いてその説明を省略する。
【００３４】
図４において、本実施の形態における電動調理器の回転体１８は、一端にカッター台側端部１８ｂを、他端に本体突起側端部１８ｃを有し、回転体軸部１８ａを中心に回転自在に調理用コップ４に設けられ、更に、バネ１６により、カッター台側端部１８ｂが内方に飛び出すように回転付勢されている。
【００３５】
本実施の形態における回転体１８は、上記第１、第２の実施の形態と異なり本体１と略水平方向に回転するように取り付けられている。
【００３６】
カッター台１１が調理用コップ４に未装着の場合、調理用コップ４を本体１に載置しようとすると、バネ１６の付勢力により、回転体１８のカッター台側端部１８ｂが内方に、つまり反対側の本体突起側端部１８ｃが外方に突出して、本体突起側端部１８ｃと本体突起部１７が干渉して載置できない。またこの時、本体突起部１７が本体突起側端部１８ｃを押す方向と、回転体１８の回転方向が異なっているので、調理用コップ４を本体１に載置する際に、回転体１８が回転することがない。
【００３７】
また、調理用コップ４にカッター台１１を装着するときは、カッター台１１が回転体１８のカッター台側端部１８ｂに接触する。このとき、カッター台１１には、上から下に向かって次第に広がるカッター台傾斜面２４が設けられており、対応するカッター台側端部１８ｂには、下向きに開いた回転体傾斜面１９が設けられているので、カッター台１１を調理用コップ４に下から挿入していくと、カッター台傾斜面２４により、バネ１６の付勢力に抗して、カッター台側端部１８ｂが外側に開く方向に、回転体軸部１８ａを中心に回転し、反対側の本体突起側端部１８ｃは、内方に回転、すなわち本体突起部１７と干渉する位置から移動する。
【００３８】
以上のように、本実施の形態によれば、回転体１８の回転体軸部１８ａによる回転方向と、本体突起部１７の力の方向が一致していないので、カッター台１１が装着されていない時には、容易にカッター台１１の未装着が判るのみならず、調理用コップ４を本体１の本体突起部１７に押し込んでも、回転方向が異なるので回転体１８は回転せず、より安全性の高い電動調理器を提供することができる。なお回転体１８は、カッター台傾斜面２４と回転体傾斜面１９により水平方向の回転動作を行うことができるが、カッター台傾斜面２４と回転体傾斜面１９の少なくとも一方の傾斜面があればスムーズな動作を行うことができる。
【００３９】
（実施の形態４）
図５は、本発明の第４の実施の形態における電動調理器の部分断面図である。図５（ａ
）は、カッター台が装着された調理用コップが本体に載置された状態の断面図、図５（ｂ）は、カッター台を調理用コップから外した状態の断面図である。なお、上記第１〜第３の実施の形態における電動調理器と同一部品については、同一符号を用いてその説明を省略する。
【００４０】
図５において、本実施の形態における電動調理器の回転体２０は、調理用コップ４に回転体軸部２０ａを中心として上下に回転自在に取り付けられると共に、カッター台側端部２０ｂと、本体突起側端部２０ｃ及び検知ピン用端部２０ｄで構成されている。
【００４１】
回転体２０は、バネ１６で、カッター台１１に向かってカッター台側端部２０ｂが回転体軸部２０ａを中心に回転するように付勢されているが、その回転角度は、調理コップ内側壁面２１で約９０度に制約されている。
【００４２】
調理用コップ４にカッター台１１を取り付けるために、調理用コップ４の底部からカッター台１１を挿入すると、回転体２０のカッター台側端部２０ｂが、バネ１６の付勢力に抗してカッター台１１により押され、回転体軸部２０ａを中心として、回転体２０が、カッター台側端部２０ｂが上向きになるように回転し、反対側の本体突起側端部２０ｃが、本体突起部１７の位置から外れる。同時に、検知ピン用端部２０ｄが、本体突起部１７の溝部内側に設けられたコップ検知ピン１０を押し込み、通電可能状態にすることができる位置に移動する。
【００４３】
図５（ｂ）において、調理用コップ４からカッター台１１を外すと、バネ１６の付勢力により回転体２０が回転体軸部２０ａを中心に回転して、回転体２０のカッター台側端部２０ｂが、内方に突出する方向、すなわちカッター台１１が装着されていた方向に、又、本体突起側端部２０ｃ及び検知ピン用端部２０ｄが、外方に突出する。この状態、すなわちカッター台１１が取り付けられていない状態で、調理用コップ４を本体１に載置しようとすると、回転体２０の本体突起側端部２０ｃと本体突起部１７が干渉して載置できないので、調理用コップ４にカッター台１１が装着されていないことが容易に判る。
【００４４】
以上のように、本実施の形態によれば、回転体２０に検知ピン用端部２０ｄを構成してあるので、調理用コップ４にカッター台１１が装着されていない時には、容易にカッター台１１の未装着が判るのみならず、電動機２を通電不可能にすることができ、より安全性の高い電動調理器を提供することができる。
【産業上の利用可能性】
【００４５】
以上のように、本発明にかかる電動調理器は、カッター台が調理用コップに装着されていない状態で本体に載置しようとすると、回転体により載置が阻害され、カッター台の未装着が容易に判るので、ミキサー、フードプロセッサーやミル以外でもコップなどの容器からカッターを着脱する回転機器全般の用途にも適用できる。
【図面の簡単な説明】
【００４６】
【図１】本発明の第１の実施の形態における電動調理器の部分断面図（カッター台が装着された調理用コップが本体に載置された状態）
【図２】同電動調理器の断面図（カッター台を調理用コップから外した状態）
【図３】（ａ）本発明の第２の実施の形態における電動調理器の部分断面図（カッター台が装着された調理用コップが本体に載置された状態）（ｂ）同電動調理器の部分断面図（カッター台を調理用コップから外した状態）
【図４】（ａ）本発明の第３の実施の形態における電動調理器のカッター台を調理用コップから外した状態の部分断面図（ｂ）同調理用コップの回転体部分の部分側面図及び部分平面図
【図５】（ａ）本発明の第４の実施の形態における電動調理器の部分断面図（カッター台が装着された調理用コップが本体に載置された状態）（ｂ）同電動調理器の部分断面図（カッター台を調理用コップから外した状態）
【図６】従来の電動調理器の部分断面図
【符号の説明】
【００４７】
１  本体
２  電動機
３  通電機構
４  調理用コップ
５  カッター
６  底面凸部
７  本体側コネクター（コネクター）
８  コップ側コネクター（コネクター）
９、１７  本体突起部
１０  コップ検知ピン
１１  カッター台
１５、１８、２０、２２  回転体
１５ａ、１８ａ、２０ａ、２２ａ  回転体軸部
１５ｂ、１８ｂ、２０ｂ、２２ｂ  カッター台側端部
１５ｃ、１８ｃ、２０ｃ、２２ｃ  本体突起側端部
１９  回転体傾斜面
２０ｄ  検知ピン用端部
２４  カッター台傾斜面
【図１】
2010022676.tif 000003
【図２】
2010022676.tif 000004
【図３】
2010022676.tif 000005
【図４】
2010022676.tif 000006
【図５】
2010022676.tif 000007
【図６】
2010022676.tif 000008